(57)【要約】【課題】複数の冷却対象（熱を伴う複数の部品）がある場合に、それらの配置スペースを小さくするとともに、それぞれを効率的に冷却できるようにする。【解決手段】使用に際して熱を伴う第１部品群６１及び第２部品群６２を冷却するための風を発生させるシロッコファン２０と、第１部品群６１と第２部品群６２との間を仕切るように配置された仕切り板３３と、シロッコファン２０の吸気側に接続され、仕切り板３３によって仕切られた第１部品群６１側から風が吸い込まれるようにするための吸気ダクト３１と、シロッコファン２０の排気側に接続され、仕切り板３３によって仕切られた第２部品群６２側に向けて風が排出されるようにするための排気ダクト３２とを有する。【選択図】図７
2010134392.tif 000002
【特許請求の範囲】
【請求項１】
電子機器の使用に際して熱を伴う第１部品及び第２部品を冷却するための風を発生させる冷却ファンと、
前記第１部品と前記第２部品との間を仕切るように配置された仕切り板と、
前記冷却ファンの吸気側に接続され、前記仕切り板によって仕切られた前記第１部品側から風が吸い込まれるようにするための吸気ダクトと、
前記冷却ファンの排気側に接続され、前記仕切り板によって仕切られた前記第２部品側に向けて風が排出されるようにするための排気ダクトと
を有する電子機器用送風装置。
【請求項２】
使用に際して熱を伴う第１部品及び第２部品と、
前記第１部品及び前記第２部品を冷却するための風を発生させる冷却ファンと、
前記第１部品と前記第２部品との間を仕切るように配置された仕切り板と、
前記冷却ファンの吸気側に接続され、前記仕切り板によって仕切られた前記第１部品側から風が吸い込まれるようにするための吸気ダクトと、
前記冷却ファンの排気側に接続され、前記仕切り板によって仕切られた前記第２部品側に向けて風が排出されるようにするための排気ダクトと
を有する電子機器。
【請求項３】
請求項２に記載の電子機器において、
前記第１部品及び前記第２部品が実装されるとともに、前記仕切り板が配置された第１基板と、
使用に際して熱を伴う第３部品が実装されるとともに、前記仕切り板の反対側で前記第１基板と重なるように設置された第２基板と
を有し、
前記排気ダクトは、前記第２基板の前記第３部品側に向けても風が排出されるように形成されている
電子機器。
【請求項４】
請求項２に記載の電子機器において、
前記第１部品及び前記第２部品が実装されるとともに、前記仕切り板が配置された第１基板と、
放熱のためのフィンが設けられるとともに、前記仕切り板の反対側で前記第１基板と重なるように設置された放熱板と
を有し、
前記排気ダクトは、前記放熱板に向けても風が排出されるように形成されている
電子機器。
【請求項５】
請求項２に記載の電子機器において、
映像を映し出すための光を出射する光源と、
前記光源から出射された光の変調を行うライトバルブと、
前記ライトバルブに光を照射して得られた映像を投射する投射レンズと
を有し、
前記排気ダクトは、前記光源に向けても風が排出されるように形成されている
電子機器。
【発明の詳細な説明】
【技術分野】
【０００１】
本発明は、光を投射することによって映像をスクリーン等に映し出す投射型表示装置等の電子機器に使用する電子機器用送風装置及び電子機器に関する。詳しくは、冷却ファンにより、複数の冷却対象を効率的に冷却できるようにした技術に関する。
【背景技術】
【０００２】
従来から、電子機器として、例えば、投射型表示装置（液晶プロジェクタ等）が知られている。この投射型表示装置は、リフレクタに支持されたランプユニット等の光源と、光源から出射された光の変調を行うライトバルブと、ライトバルブに光を照射して得られた映像を投射する投射レンズと、電源に関係する各種の部品や光源の点灯に関係する各種の部品が実装された基板とを備えている。そして、投射レンズから投射された映像をスクリーン等に映し出すようになっている。
【０００３】
ここで、投射型表示装置の使用時には、電源に関係する各種の部品や光源の点灯に関係する各種の部品、光源等が熱を伴うようになるので、送風装置からの風によってこれらの部品を冷却し、各部品を限界保証温度以下に保持している。このような投射型表示装置の冷却構造としては、発熱部品が内部に配置された第１のダクトと、第１のダクトを内包する第２のダクトと、両ダクトの一端に設けられたファンとから構成されたものが知られている。そして、ファンによって両ダクト内に冷却空気を通過させ、発熱部品を冷却するようにしている（例えば、特許文献１参照）。
【特許文献１】特開２００７−１１４３７２号公報
【発明の開示】
【発明が解決しようとする課題】
【０００４】
しかし、上記した特許文献１の技術は、両ダクトの一端に設けられたファンによって風を発生させ、他端側から風を吸い込んで発熱部品を冷却している。そして、ファンから排出される風は、ダクトの外に排気されるようになっている。そのため、ファンが発生させた風は、ファンの吸気側だけが発熱部品の冷却に利用され、排気側の風は、冷却に利用されずに捨てられている。したがって、発熱部品とファンとの位置関係が制約されることとなり、配置スペースに問題が生じるだけでなく、発熱部品の冷却効率が悪くなるという問題があった。
【０００５】
したがって、本発明が解決しようとする課題は、複数の冷却対象（熱を伴う複数の部品）がある場合に、それらの配置スペースを小さくするとともに、それぞれを効率的に冷却できるようにすることである。
【課題を解決するための手段】
【０００６】
本発明は、以下の解決手段によって上述の課題を解決する。
本発明の請求項１に記載の発明は、電子機器の使用に際して熱を伴う第１部品及び第２部品を冷却するための風を発生させる冷却ファンと、前記第１部品と前記第２部品との間を仕切るように配置された仕切り板と、前記冷却ファンの吸気側に接続され、前記仕切り板によって仕切られた前記第１部品側から風が吸い込まれるようにするための吸気ダクトと、前記冷却ファンの排気側に接続され、前記仕切り板によって仕切られた前記第２部品側に向けて風が排出されるようにするための排気ダクトとを有する電子機器用送風装置である。
【０００７】
また、本発明の請求項２に記載の発明は、使用に際して熱を伴う第１部品及び第２部品と、前記第１部品及び前記第２部品を冷却するための風を発生させる冷却ファンと、前記第１部品と前記第２部品との間を仕切るように配置された仕切り板と、前記冷却ファンの吸気側に接続され、前記仕切り板によって仕切られた前記第１部品側から風が吸い込まれるようにするための吸気ダクトと、前記冷却ファンの排気側に接続され、前記仕切り板によって仕切られた前記第２部品側に向けて風が排出されるようにするための排気ダクトとを有する電子機器である。
【０００８】
（作用）
上記の請求項１及び請求項２に記載の発明は、冷却ファンの吸気側に接続され、仕切り板によって仕切られた第１部品側から風が吸い込まれるようにするための吸気ダクトと、冷却ファンの排気側に接続され、仕切り板によって仕切られた第２部品側に向けて風が排出されるようにするための排気ダクトとを有している。そのため、冷却ファンの吸気側及び排気側の両方の風を冷却に利用できる。
【発明の効果】
【０００９】
上記の発明によれば、冷却対象である第１部品と第２部品との間が仕切り板によって仕切られている。そして、冷却ファンの吸気側の風によって第１部品を冷却し、排気側の風によって第２部品を冷却する。そのため、第１部品と第２部品とを小さいスペースで配置し、１つの冷却ファンによって第１部品及び第２部品を効率的に冷却できる。
【発明を実施するための最良の形態】
【００１０】
以下、図面を参照して、本発明を実施するための最良の形態（以下、実施の形態とする）について説明する。
ここで、本発明における電子機器は、以下の実施の形態では、投射型表示装置である液晶プロジェクタ１０とする。また、本発明の送風装置は、以下の実施の形態では、液晶プロジェクタ１０の電源・制御ユニット６０に組み込まれている。
【００１１】
［電子機器（液晶プロジェクタ１０）の構成例］
図１は、本発明の電子機器の一実施形態としての、液晶プロジェクタ１０の内部構造を示す斜視図である。
また、図２は、本発明の電子機器の一実施形態としての、液晶プロジェクタ１０の内部構造を示す平面図である。
さらにまた、図３は、図１及び図２に示す液晶プロジェクタ１０における光学ユニット４０の内部構造を示す平面図である。
なお、この液晶プロジェクタ１０には、本発明の送風装置が組み込まれている。
【００１２】
液晶プロジェクタ１０には、図１及び図２に示すように、直方体状のケース１１の内部に光学ユニット４０や電源・制御ユニット６０が収納されている。この光学ユニット４０は、映像を映し出すための光を出射するランプユニット４１（本発明における光源に相当するもの）と、ランプユニット４１から出射された光の変調を行うライトバルブ４２等とを有している。そして、電源・制御ユニット６０から電源が供給され、制御される。また、光学ユニット４０のライトバルブ４２に近い側面に、レンズ保持枠１２が取り付けられている。さらにまた、レンズ保持枠１２には、先端部がケース１１の側面から突出するようにして、映像を投射する投射レンズ１３が保持されている。そのため、ランプユニット４１から出射された光をライトバルブ４２に照射することによって得られた映像は、投射レンズ１３を介してスクリーン等に映し出されることとなる。
【００１３】
ここで、光学ユニット４０内には、図３に示すように、ランプユニット４１やライトバルブ４２（４２Ｒ，４２Ｇ，４２Ｂ）の他、フライアイレンズ４３、ＰＳ変換素子４４、コンデンサレンズ４５、ダイクロイックミラー４６ａ，４６ｂ、全反射ミラー４７ａ，４７ｂ，４７ｃ、リレーレンズ４８ａ，４８ｂ、フィールドレンズ４９（４９Ｒ，４９Ｇ，４９Ｂ）、入射側偏光板５０（５０Ｒ，５０Ｇ，５０Ｂ）、出射側偏光板５１（５１Ｒ，５１Ｇ，５１Ｂ）、及びクロスプリズム５２が設けられている。なお、ライトバルブ４２Ｒは、ランプユニット４１から出射された光の中で、赤色（Ｒ）の波長域の光を変調する。また、ライトバルブ４２Ｇは、緑色（Ｇ）の波長域の光を変調する。さらにまた、ライトバルブ４２Ｂは、青色（Ｂ）の波長域の光を変調する。そして、フィールドレンズ４９、入射側偏光板５０、及び出射側偏光板５１は、ライトバルブ４２Ｒ，４２Ｇ，４２Ｂに対応してそれぞれ設けられている。
【００１４】
このような光学ユニット４０において、光の出射側から各光学部品を順に説明すると、ランプユニット４１は、リフレクタ４１ａに放電ランプ４１ｂを取り付けて構成されている。そして、リフレクタ４１ａの開口面には、防護ガラス４１ｃが取り付けられている。そのため、放電ランプ４１ｂが放射する光は、リフレクタ４１ａに反射され、防護ガラス４１ｃから出射する。
【００１５】
次に、フライアイレンズ４３は、ランプユニット４１から離間した位置に２つ配置されている。このフライアイレンズ４３は、強度分布を有するランプユニット４１からの光を多数の光スポットに分割し、ライトバルブ４２（４２Ｒ，４２Ｇ，４２Ｂ）の画面全体の輝度分布を均一にする。
【００１６】
また、フライアイレンズ４３に近接して、ＰＳ変換素子４４及びコンデンサレンズ４５が順に配置されている。このＰＳ変換素子４４は、誘電体膜がコーティングされた短冊状のガラスを接着材ではり合わせて形成した偏光ビームスプリッタと、これに対応して間欠的に設けられた位相差板とからなっている。そして、ＰＳ変換素子４４により、ランプユニット４１からの光の偏光方向が変換される（偏光方向がそろえられる）こととなる。
【００１７】
さらにまた、ダイクロイックミラー４６ａ，４６ｂは、コンデンサレンズ４５を挟んでＰＳ変換素子４４の反対側に位置し、コンデンサレンズ４５から所定の距離だけ離間して配置されている。さらに、ダイクロイックミラー４６ａ，４６ｂは、所定の距離だけ離間して、それぞれ同じ向きに４５°傾斜するように配置されている。そして、ダイクロイックミラー４６ａは、コンデンサレンズ４５を通過した光の中で、青色（Ｂ）の波長域の光だけを９０°反射する。一方、ダイクロイックミラー４６ａで反射されない波長域の光の中で、緑色（Ｇ）の波長域の光は、ダイクロイックミラー４６ｂによって９０°反射される。なお、ダイクロイックミラー４６ａによって反射された青色（Ｂ）の波長域の光は、離間して配置されている全反射ミラー４７ａによって再び９０°反射される。
【００１８】
したがって、コンデンサレンズ４５を通過した光の中で、赤色（Ｒ）の波長域の光だけは、ダイクロイックミラー４６ａ及びダイクロイックミラー４６ｂで反射されず、そのまま直進する。そのため、ダイクロイックミラー４６ｂの後方には、リレーレンズ４８ａ及び全反射ミラー４７ｂがそれぞれ離間して配置されており、全反射ミラー４７ｂによって赤色（Ｒ）の波長域の光が９０°反射される。さらに、赤色（Ｒ）の波長域の光は、離間して配置されているリレーレンズ４８ｂを透過し、全反射ミラー４７ｃによって再び９０°反射される。
【００１９】
このように、ダイクロイックミラー４６ａ，４６ｂによって赤色（Ｒ）の波長域の光、緑色（Ｇ）の波長域の光、及び青色（Ｂ）の波長域の光が分離される。そして、全反射ミラー４７ａによって反射された青色（Ｂ）の波長域の光は、  離間して配置されているフィールドレンズ４９Ｂに入射する。また、ダイクロイックミラー４６ｂによって反射された緑色（Ｇ）の波長域の光は、フィールドレンズ４９Ｇに入射する。さらにまた、全反射ミラー４７ｃによって反射された赤色（Ｒ）の波長域の光は、フィールドレンズ４９Ｒに入射する。
【００２０】
フィールドレンズ４９Ｒ，４９Ｇ，４９Ｂの出射側には、それぞれに対応する入射側偏光板５０Ｒ，５０Ｇ，５０Ｂが離間して配置されている。そのため、各フィールドレンズ４９Ｒ，４９Ｇ，４９Ｂにそれぞれ入射した赤色（Ｒ）、緑色（Ｇ）、及び青色（Ｂ）の波長域の光は、入射側偏光板５０Ｒ，５０Ｇ，５０Ｂを透過して所定の偏光方向の光となる。
【００２１】
また、入射側偏光板５０Ｒ，５０Ｇ，５０Ｂに対向して、光変調素子であるライトバルブ４２Ｒ，４２Ｇ，４２Ｂが離間して配置されている。そして、ライトバルブ４２Ｒ，４２Ｇ，４２Ｂにおいて、印加された画像信号に基づいて、光の偏光面が回転される。偏光面が回転された光の所定の偏光成分は、ライトバルブ４２Ｒ，４２Ｇ，４２Ｂから離間して配置された出射側偏光板５１Ｒ，５１Ｇ，５１Ｂを透過し、映像光として、クロスプリズム５２の各入射面（投射レンズ１３が配置されていない３側面）に入射して色合成される。そのため、色合成された光が投射レンズ１３から出射されるようになり、スクリーン等にフルカラーの映像が映し出されることとなる。
【００２２】
このように、ランプユニット４１から出射された光は、ライトバルブ４２Ｒ，４２Ｇ，４２Ｂ等によって映像光となり、投射レンズ１３から出射される。そして、ランプユニット４１等は、電源・制御ユニット６０（図１及び図２参照）から電源が供給され、制御される。そのため、映像の投射時は、ランプユニット４１やライトバルブ４２Ｒ，４２Ｇ，４２Ｂ等だけでなく、電源・制御ユニット６０も熱を伴う。そのため、これらを冷却し、それぞれを限界保証温度以下に保持する必要が生じる。
【００２３】
そこで、図１及び図２に示すように、光学ユニット４０の後ろ側に送風ファン１４を配置し、ライトバルブ４２等を冷却するための風を発生させている。さらに、ケース１１の側面には、２つの排気ファン１５が配置されている。そのため、送風ファン１４からの風により、光学ユニット４０内のライトバルブ４２等を限界保証温度以下に保持することができる。また、温度上昇したケース１１内の空気は、２つの排気ファン１５によってケース１１の外部に排出される。
【００２４】
しかし、送風ファン１４は、ランプユニット４１や電源・制御ユニット６０から離れているので、送風ファン１４だけでは、これらの冷却が不十分となる。しかも、液晶プロジェクタ１０の小型化を図るには、むやみにファンを増設できず、電源・制御ユニット６０の配置スペースを小さくする必要も生じる。そのため、本実施形態の液晶プロジェクタ１０は、電源・制御ユニット６０に送風装置を組み込み、電源・制御ユニット６０を冷却するとともに、電源・制御ユニット６０の近くに配置されているランプユニット４１も冷却するようにしている。
【００２５】
［電源・制御ユニット６０（送風装置）の構成例］
図４は、本発明の送風装置を組み込んだ電源・制御ユニット６０を示す平面図である。
図４に示すように、電源・制御ユニット６０は、電源に関係する各種の部品である第１部品群６１（本発明における第１部品に相当するもの）と、ランプユニット４１の点灯に関係する各種の部品である第２部品群６２（本発明における第２部品に相当するもの）とを備えている。そして、第１部品群６１及び第２部品群６２は、第１基板６３の表面側に実装されている。なお、第１基板６３の裏面側には、その他の部品である第３部品群（本発明における第３部品に相当するもの）が表面側に実装された第２基板６４が第１基板６３と重なるように設置されている。さらに、第２基板６４の裏面側には、電源・制御ユニット６０の放熱を促進するために、本発明の放熱板に相当するヒートシンク６５が第１基板６３及び第２基板６４と重なるように設置されている。
【００２６】
また、電源・制御ユニット６０の冷却のために、第１基板６３（第２基板６４，ヒートシンク６５）の一端側には、シロッコファン２０（本発明における冷却ファンに相当するもの）が配置されている。そして、シロッコファン２０の吸気側には、吸気ダクト３１が接続され、シロッコファン２０の排気側には、排気ダクト３２が接続されている。さらにまた、第１部品群６１と第２部品群６２との間は、第１基板６３の表面側に配置された仕切り板３３によって仕切られている。そして、仕切り板３３及び第１基板６３（第２基板６４，ヒートシンク６５）は、カバー６６によって覆われている。
【００２７】
ここで、吸気ダクト３１に形成された吸気口３４は、第１部品群６１に向かって開口しており、排気ダクト３２に形成された第１排気口３５は、第２部品群６２に向かって開口している。さらに、排気ダクト３２に形成された第２排気口３６は、ランプユニット４１に向かうように開口している。そのため、シロッコファン２０を作動させると、仕切り板３３によって仕切られた第１部品群６１側から吸気口３４を通って吸気ダクト３１に風が吸い込まれるようになる。また、仕切り板３３によって仕切られた第２部品群６２側に向け、排気ダクト３２の第１排気口３５から風が排出され、ランプユニット４１に向け、第２排気口３６から風が排出されることとなる。なお、第１排気口３５は、第２基板６４の第３部品群側及びヒートシンク６５に向けても風を排出する。
【００２８】
図５は、図４に示すシロッコファン２０の内部構造を示す平面図及び側面図である。
図５（ａ）に示すように、シロッコファン２０は、ファンケース２１の内部に回転自在の回転翼２２を収納して構成されている。具体的には、ファンケース２１には、回転翼２２の回転中心軸と直交する平面で見て円弧状の円弧壁２１ａが形成されている。そして、円弧壁２１ａの内側は、回転翼２２を回転自在に収納する回転翼収納部２３となっている。さらに、ファンケース２１は、回転翼収納部２３から回転翼２２の遠心方向に直線状の直線壁２１ｂが突出しており、この直線壁２１ｂの内側は、回転翼２２によって発生した遠心方向の風を吐出する吐出部２４となっている。
【００２９】
また、回転翼２２の外周部とファンケース２１の円弧壁２１ａとの間の空間が送風空間２５として形成されている。この送風空間２５は、回転翼２２の回転駆動方向（実施形態では、時計回りの方向）において、吐出部２４に近づくにつれて徐々に幅が広くなるように形成されている。具体的には、吐出部２４から離れた部分が最も幅の狭い最小幅部２５ａとなり、吐出部２４に近い部分が最も幅の広い最大幅部２５ｂとなっている。
【００３０】
このようなシロッコファン２０は、回転翼２２を時計回りに回転駆動させることによって送風空間２５内に遠心方向の風が発生し、その風は、ファンケース２１の円弧壁２１ａに沿って矢印のように流れる。また、送風空間２５の最小幅部２５ａから最大幅部２５ｂに向かうにつれて風量が多くなる。そして、最大幅部２５ｂからは、ファンケース２１の直線壁２１ｂに沿って矢印のように風が流れ、直線壁２１ｂと平行に（吐出部２４から真っ直ぐに）風が吐出されるようになる。
【００３１】
ここで、図５（ｂ）に示すように、シロッコファン２０の回転翼２２の上面側（吸気側）では、ファンケース２１に吸気ダクト３１が取り付けられている。また、シロッコファン２０の吐出部２４側では、ファンケース２１に排気ダクト３２が取り付けられている。そのため、回転翼２２を時計回りに回転駆動させると、吸気ダクト３１から矢印のようにファンケース２１に風が吸い込まれ、その風は、吐出部２４から排気ダクト３２を通って矢印のように排出される。そして、吸気ダクト３１から吸い込まれる風と、排気ダクト３２から排出される風の両方が図４に示す電源・制御ユニット６０及びランプユニット４１の冷却に利用される。
【００３２】
図６は、図４に示す電源・制御ユニット６０をシロッコファン２０側から見た斜視図である。
また、図７は、図４に示す電源・制御ユニット６０をシロッコファン２０の反対側から見た斜視図である。
図６及び図７に示すように、電源・制御ユニット６０は、使用に際して熱を伴う第１部品群６１及び第２部品群６２等と、第１部品群６１及び第２部品群６２等を冷却するための風を発生させるシロッコファン２０とを有している。
【００３３】
ここで、第１部品群６１は、電源に関係する各種の部品であり、第１基板６３の表面側に実装されている。一方、第２部品群６２は、ランプユニット４１（図４参照）の点灯に関係する各種の部品であり、第１部品群６１と同様に、第１基板６３の表面側に実装されている。そして、第１部品群６１と第２部品群６２との間は、第１基板６３の表面側に配置された仕切り板３３によって仕切られている。
【００３４】
また、第１基板６３の裏面側（仕切り板３３の反対側）には、使用に際して熱を伴う第３部品群（図示せず）が表面側に実装された第２基板６４が第１基板６３と重なるように間隔をもって設置されている。さらにまた、第２基板６４の裏面側には、複数のフィン６５ａが並列に設けられたヒートシンク６５が取り付けられている。そのため、第１基板６３上に第１部品群６１及び第２部品群６２が配置されているだけでなく、第１基板６３と第２基板６４とが２段構造になっている。しかも、第２基板６４にヒートシンク６５がつり下げられた構造（３階建て構造）になるので、小スペース化が図られている。なお、１つの第１基板６３を用いるのではなく、第１部品群６１を実装する基板と第２部品群６２を実装する基板とを２つに分けてもよい。
【００３５】
さらに、第１基板６３、第２基板６４、及びヒートシンク６５は、それぞれがカバー６６によって覆われている。そのため、カバー６６の内部では、仕切り板３３によって仕切られた第１基板６３上の第１部品群６１の実装範囲に１つの空間が形成され、第２部品群６２の実装範囲にも１つの空間が形成されるようになる。また、第１基板６３と第２基板６４との間、ヒートシンク６５とカバー６６との間にもそれぞれ空間が形成されるようになる。
【００３６】
このような電源・制御ユニット６０において、シロッコファン２０は、第１基板６３、第２基板６４、及びヒートシンク６５の一端側に配置されている。そして、シロッコファン２０の吸気側には、吸気口３４（図７参照）が形成された吸気ダクト３１が接続され、シロッコファン２０の排気側には、第１排気口３５（図７参照）及び第２排気口３６（図７参照）が形成された排気ダクト３２が接続されている。
【００３７】
また、吸気ダクト３１は、吸気口３４（図７参照）が第１基板６３上の第１部品群６１及び第２基板６４上の第３部品群（図示せず）に対向するようにして配置されている。一方、排気ダクト３２は、第１排気口３５（図７参照）が第１基板６３上の第２部品群６２及びヒートシンク６５のフィン６５ａ側に対向するようにして配置されている。なお、排気ダクト３２の第２排気口３６（図７参照）は、ランプユニット４１（図４参照）に対向するようになっている。
【００３８】
したがって、シロッコファン２０の回転翼２２（図５参照）を回転駆動させると、図７の矢印に示すように、シロッコファン２０と反対側のカバー６６に形成された通気口（図示せず）から第１部品群６１側に風が吸い込まれる。そして、その風は、矢印のように吸気口３４から吸気ダクト３１に吸い込まれ、排気ダクトに向けて送られる。その結果、第１基板６３上の第１部品群６１が吸気口３４に向けて吸い込まれる風によって冷却されることとなる。
【００３９】
さらに、排気ダクトに入った風は、第１排気口３５から矢印のように排出され、その風は、第１基板６３上の第２部品群６２に向かって流れる。また、第１基板６３と第２基板６４との間にも流れる。同時に、その風は、ヒートシンク６５のフィン６５ａに沿って流れる。そして、シロッコファン２０と反対側のカバー６６に形成された通気口（図示せず）から矢印のように排出される。その結果、第１基板６３上の第２部品群６２、第２基板６４上の第３部品群（図示せず）、及びヒートシンク６５が第１排気口３５から排出される風によって冷却されることとなる。
【００４０】
しかも、排気ダクトに入った風は、第２排気口３６からも矢印のように排出される。そして、その風は、ランプユニット４１（図４参照）に向かって流れる。その結果、ランプユニット４１が第２排気口３６から排出される風によって冷却されることとなる。なお、カバー６６から排出された風や第２排気口３６から排出された風は、最終的に、図１及び図２に示す排気ファン１５によってケース１１の外部に排出される。
【００４１】
このように、本実施形態の液晶プロジェクタ１０（図１及び図２参照）は、１つのシロッコファン２０の吸気側の風が第１部品群６１を冷却する。また、シロッコファン２０の排気側の風が第２部品群６２、第３部品群（図示せず）、ヒートシンク６５、及びランプユニット４１（図４参照）を冷却する。そのため、液晶プロジェクタ１０内の限られたスペースに第１部品群６１、第２部品群６２、第３部品群、ヒートシンク６５、及びランプユニット４１を配置し、これらを１つのシロッコファン２０によって効率的に冷却することが可能となる。
【００４２】
以上、本発明の実施形態について説明したが、本発明は、上述した実施形態に限定されることなく、種々の変形が可能である。例えば、本実施形態では、電子機器として、投射型表示装置である液晶プロジェクタ１０を例に挙げるとともに、電源・制御ユニット６０内の第１部品群６１や第２部品群６２等を冷却対象とした。しかし、これに限らず、ライトバルブ４２等の熱を伴う各種の部品を冷却対象とすることもできる。また、液晶プロジェクタに限らず、液晶ディスプレイ、ノート型パーソナルコンピュータ等の各種の電子機器や、これらの電子機器のバックライト、ＣＰＵ等の熱を伴う部品の冷却に広く適用可能である。
【図面の簡単な説明】
【００４３】
【図１】本発明の電子機器の一実施形態としての、液晶プロジェクタの内部構造を示す斜視図である。
【図２】本発明の電子機器の一実施形態としての、液晶プロジェクタの内部構造を示す平面図である。
【図３】図１及び図２に示す液晶プロジェクタにおける光学ユニットの内部構造を示す平面図である。
【図４】本発明の送風装置を組み込んだ電源・制御ユニットを示す平面図である。
【図５】図４に示すシロッコファンの内部構造を示す平面図及び側面図である。
【図６】図４に示す電源・制御ユニットをシロッコファン側から見た斜視図である。
【図７】図４に示す電源・制御ユニットをシロッコファンの反対側から見た斜視図である。
【符号の説明】
【００４４】
１０  液晶プロジェクタ（電子機器）
１３  投射レンズ
２０  シロッコファン（冷却ファン）
３１  吸気ダクト
３２  排気ダクト
３３  仕切り板
４１  ランプユニット（光源）
４２  ライトバルブ
６１  第１部品群（第１部品）
６２  第２部品群（第２部品）
６３  第１基板
６４  第２基板
６５  ヒートシンク（放熱板）
６５ａ  フィン
【図１】
2010134392.tif 000003
【図２】
2010134392.tif 000004
【図３】
2010134392.tif 000005
【図４】
2010134392.tif 000006
【図５】
2010134392.tif 000007
【図６】
2010134392.tif 000008
【図７】
2010134392.tif 000009